(57)【要約】  網膜の中心窩で受像される像のための第１の屈折力プロファイルを有するゾーンと、鼻側の周辺網膜で受像される像のための第２の屈折力プロファイルを有するゾーンと、側頭側の周辺網膜で受像される像のための第３の屈折力プロファイルを有するゾーンとを備えた眼用レンズ。第１の屈折力プロファイルは鮮明な、または許容しうる、視覚をもたらすために選択され、第２および第３の屈折力プロファイルは周辺の像位置に影響を及ぼすために選択される。
2013533044.tif 000002
【特許請求の範囲】
【請求項１】
眼用レンズであって、前記レンズは、中心窩の網膜によって受像される像のための第１の屈折力プロファイルを有するゾーンと、鼻側の周辺網膜によって受像される像のための第２の屈折力プロファイルを有するゾーンと、側頭側の周辺網膜によって受像される像のための、少なくとも前記第２の屈折力プロファイルとは異なる、第３の屈折力プロファイルを有するゾーンと、前記眼に前記レンズを方向付けるためのレンズ安定化機構とを備え、前記第１の屈折力プロファイルは鮮明な、または許容しうる、視覚をもたらすために選択され、前記第２および第３の屈折力プロファイルは、屈折異常の進行に影響を及ぼすために選択される、レンズ。
【請求項２】
前記レンズはコンタクトレンズまたは眼鏡レンズである、請求項１に記載のレンズ。
【請求項３】
前記レンズは角膜インプラントまたはオルソケラトロジーレンズを含み、前記第１乃至第３の屈折力プロファイルは前記眼の角膜を整形するように実現される、請求項１に記載のレンズ。
【請求項４】
眼における近視の進行に影響を及ぼすレンズであって、前記レンズは、前記周辺網膜によって受容される光が前記網膜上または前記網膜の前方に合焦するように、前記光を屈折させるための鼻側光学ゾーンと側頭側光学ゾーンとを備え、前記鼻側光学ゾーンと前記側頭側光学ゾーンとはそれぞれ異なる屈折力を有する、レンズ。
【請求項５】
眼における遠視の進行に影響を及ぼすレンズであって、前記レンズは、前記周辺網膜によって受容される光が前記網膜上または前記網膜の後方に合焦するように、前記光を屈折させるための鼻側光学ゾーンと側頭側光学ゾーンとを備え、前記鼻側光学ゾーンと前記側頭側光学ゾーンとはそれぞれ異なる屈折力を有する、レンズ。
【請求項６】
前記眼の軸上視力を矯正するための屈折力を有する中心光学ゾーンをさらに備える、請求項４または５に記載のレンズ。
【請求項７】
前記鼻側光学ゾーンは軸上屈折力に比べ相対的に大きな屈折力を有し、前記側頭側光学ゾーンは前記軸上屈折力に比べ相対的に小さい屈折力を有する、請求項４または５に記載のレンズ。
【請求項８】
前記側頭側光学ゾーンは軸上屈折力に比べ相対的に大きな屈折力を有し、前記鼻側光学ゾーンは前記軸上屈折力に比べ相対的に小さい屈折力を有する、請求項４または５に記載のレンズ。
【請求項９】
前記鼻側光学ゾーンと前記側頭側光学ゾーンとの間に中心光学ゾーンをさらに備え、前記中心光学ゾーンは、前記レンズの水平半経線にわたってそれぞれ異なる範囲まで延在するように、前記レンズを通る垂直経線を中心として非対称であり、前記垂直および水平経線は、安定化機構によってもたらされる前記レンズの向きを基準とする、請求項４または５に記載のレンズ。
【請求項１０】
前記中心光学ゾーンは平らではなく、ピンぼけを矯正するための屈折力を備える、請求項９に記載のレンズ。
【請求項１１】
前記鼻側光学ゾーンおよび前記側頭側光学ゾーンはどちらもほぼ一定の屈折力を鉛直方向に備え、前記鉛直方向は、前記安定化機構によってもたらされる前記レンズの向きを基準とする、請求項４または５に記載のレンズ。
【請求項１２】
前記鼻側および側頭側光学ゾーンは０．５ｍｍと３ｍｍの間の鉛直高さを有する、請求項４または５に記載のレンズ。
【請求項１３】
前記眼の軸上視力を矯正するための屈折力を有する中心光学ゾーンをさらに備え、前記レンズは、前記中心光学ゾーンの前記屈折力にほぼ等しい屈折力を前記鼻側および側頭側光学ゾーンの上下に有する、請求項１２に記載のレンズ。
【請求項１４】
前記眼の軸上視力を矯正するための屈折力を有する中心光学ゾーンをさらに備え、前記中心光学ゾーンはほぼ回転対称である、請求項４または５に記載のレンズ。
【請求項１５】
前記眼の軸上視力を矯正するために屈折力を有する中心光学ゾーンをさらに備え、前記中心光学ゾーンは鉛直方向に前記レンズ全体にわたって細長く、前記鉛直方向は安定化機構によってもたらされる前記レンズの向きを基準とする、請求項４または５に記載のレンズ。
【請求項１６】
前記レンズは、光学ゾーンと担持部とを有するコンタクトレンズであり、前記中心光学ゾーンは前記鉛直方向に前記光学ゾーンのほぼ全体にわたって延在する、請求項１５に記載のレンズ。
【請求項１７】
前記鼻側光学ゾーンおよび側頭側光学ゾーンの一方は、周辺像を前記網膜上に位置付けるために選択された屈折力を有し、他方のゾーンは、周辺像を前記網膜外に位置付けるように選択された屈折力を有する、請求項４または５に記載のレンズ。
【請求項１８】
屈折異常を有する眼の治療方法であって、前記方法は、鮮明な、またはほぼ鮮明な、中心視覚をもたらすと同時に、眼の成長のための刺激に影響を及ぼして屈折異常の進行を低減または停止させるように、周辺網膜によって受像される像の非対称性を低減または排除し、前記周辺網膜で受像される前記像の位置を制御することを含む方法。
【請求項１９】
進行性屈折異常を有する眼の治療方法であって、前記方法は、前記眼の屈折特性を中心窩および周辺網膜において測定することと、前記眼が前記周辺網膜において、少なくとも水平経線において、非対称であるかどうかを判定することと、前記眼が前記周辺網膜において非対称である場合は、前記非対称性を考慮して、前記眼の前記周辺網膜における前記屈折特性に影響を及ぼすことによって前記眼を治療すると同時に、鮮明な、またはほぼ鮮明な、中心視覚をもたらすこととを含む方法。
【請求項２０】
近視を有する眼の治療方法であって、軸上および軸外測定値を得るために、前記眼の屈折特性を中心網膜および周辺網膜でそれぞれ測定することと、前記眼が非対称性の軸外屈折特性を有することを前記測定から判定することと、鮮明な、または許容しうる、視覚を軸上にもたらすために、さらには少なくとも１つの軸外角度における前記非対称性を減らすように周辺物体の像の位置を前記網膜上または前記網膜の前方に制御するために、前記眼を含む視覚システムの前記屈折特性に影響を及ぼすこととを含む方法。
【請求項２１】
遠視を有する眼の治療方法であって、軸上および軸外測定値をそれぞれ得るために、前記眼の屈折特性を中心網膜および周辺網膜で測定すること、前記眼が非対称性の軸外屈折特性を有することを前記測定から判定することと、鮮明な、または許容しうる、視覚を軸上にもたらすために、さらには少なくとも１つの軸外角度における前記非対称性を減らすように周辺物体の像の位置を前記網膜上または前記網膜の後方に制御するために、前記眼を含む視覚システムの前記屈折特性に影響を及ぼすこととを含む方法。
【請求項２２】
前記視覚システムは前記眼のためのレンズを備え、前記レンズは、前記鮮明な、または許容しうる、視覚を軸上にもたらすために選択された第１の屈折力プロファイルを有する第１のゾーンと、鼻側の網膜で受像される周辺物体の像の位置を制御する第２の屈折力プロファイルを有する第２のゾーンと、側頭側の網膜で受像される周辺物体の像の位置を制御する第３の屈折力プロファイルを有する第３のゾーンとを備え、前記非対称性を減らすように少なくとも前記第２および第３の屈折力プロファイルはそれぞれ異なる、請求項２０または２１に記載の方法。
【請求項２３】
前記レンズは、コンタクトレンズと眼鏡レンズとを含む群から選択されるレンズである、請求項２２に記載の方法。
【請求項２４】
前記眼を含む視覚システムの前記屈折特性に影響を及ぼすことのステップは、オルソケラトロジーレンズを前記眼に装用することを含み、前記オルソケラトロジーレンズは前記鮮明な、または許容しうる、視覚を軸上にもたらすと共に、角膜を整形することによって周辺物体の像の位置を制御する、請求項２０または２１に記載の方法。
【請求項２５】
前記眼を含む視覚システムの前記屈折特性に影響を及ぼす前記ステップは、角膜インプラントを前記眼に挿入することを含み、前記角膜インプラントは、前記鮮明な、または許容しうる、視覚を軸上にもたらすと共に、前記角膜を整形することによって周辺物体の像の位置を制御する、請求項２０または２１に記載の方法。
【発明の詳細な説明】
【技術分野】
【０００１】
本出願は、２０１０年７月２６日に出願されたオーストラリア国特許出願第２０１０９０３３３４号の利益を主張するものであり、参照によりその内容全体を本願明細書に援用するものとする。
【０００２】
本発明は、全般的には、眼の屈折異常を治療するための方法および装置に関する。特定の実施形態は、屈折異常の進行を遅らせる、および／または屈折異常の進行を阻止する、ことによって、屈折異常の進行速度に影響を及ぼすために適用されうる。特定の実施形態は、近視の進行を制御するために適用されうる。他の実施形態は、遠視の進行を制御するために適用されうる。
【背景技術】
【０００３】
近視（近眼）は、遠くの物体にはぴったり焦点を合わせることはできないが、近くの物体にはぴったり焦点を合わせることができる眼の異常である。遠くの物体の像は網膜の前方で合焦される。すなわち、「遠見時に」眼の合焦力が強すぎる。この状態は、遠方の像を中心窩上に、または中心窩に近付けて、合焦させる負の屈折力を有するレンズの使用により矯正されうる。近視は、矯正レンズの使用にも拘らず視力障害の悪化に至る深刻かつ進行性の症状となりうる。近視は益々一般化しており、東南アジアの一部の国は、１７才の児童の８０％がこの症状を患っていると報告している。
【０００４】
遠視（遠眼）は、遠方の物体には焦点を合わせることはできるが、近くの物体には焦点を合わせることができない異常である。遠視は、正の屈折力を有するレンズを用いて矯正されうる。
【０００５】
正常な眼の発達、すなわち正視化（ｅｍｍｅｔｒｏｐｉｚａｔｉｏｎ）、プロセスは、遠見時および近見時の両方において良好な合焦、すなわち正視（ｅｍｍｅｔｒｏｐｉａ）、を維持するために、眼の長さを調整するフィードバックメカニズムによって調整されるということで概ね意見が一致している。このフィードバックメカニズムは、屈折異常を有する眼においては何らかの形で乱されるので、眼は長く成長しすぎて近視になり、十分に長く成長せずに遠視になるという点で概ね意見が一致しているが、このフィードバックメカニズムの性質、または近視および遠視の進行を如何に制御できるか、についての意見の一致はない。生化学的および光学的（焦点不良）メカニズムの両方が示唆されている。
【０００６】
フィードバック刺激は眼の焦点不良と何らかの関係があると概ね想定されているが、問題は単純ではない。その理由は、進行性の近視においては、遠見視力を矯正するレンズを装用したとしても、症状が悪化しうる、すなわち眼が過度に伸長し続けるからである。
【０００７】
光学的フィードバックメカニズムは、過度の近業による眼の調節努力の不足により何らかの形で混乱されると提示されている。この調節力不足は、一部の近視眼においては近見時の遠近調節の遅れ（不正確かつ不十分な調節）として現れてピンぼけをもたらし、さらなる望ましくない眼の軸方向伸長を誘発すると考えられる。
【０００８】
この伸長を引き起こす刺激が除去されるだろうとの期待から、調節ストレスおよびピンぼけを軽減するために可能な方法として、眼鏡の二焦点レンズおよびプログレッシブアディションレンズ（ＰＡＬ：ｐｒｏｇｒｅｓｓｉｖｅ  ａｄｄｉｔｉｏｎ  ｌｅｎｓ）が提案されている。米国特許第６，７５２，４９９号（アラー（Ａｌｌｅｒ））には、近視の進行を制御するために、近点内斜位も示している近視眼に対して市販の二焦点コンタクトレンズを処方することが記載されている。近点内斜位固視ずれを有する近視眼には、遠用中心と近用中心の両方が同心のコンタクトレンズが用いられた。同心の遠用および近用ゾーンは、瞳孔内に位置する。
【０００９】
米国特許第６，０４５，５７８号（コリンズ（Ｃｏｌｌｉｎｓ）ら）には、中心窩に存在する球面収差の程度および方向によって正視化を調整することが提案されている。若年近視者は不適切な眼の成長を促進する負の球面収差をより高レベルで有するので、正の球面収差をもたらす眼科用レンズの使用が軸方向の眼の成長ひいては近視の進行を防ぐであろうと提案されている。
【００１０】
国際公開第２００６０４４４０Ａ２号（フィリップス（Ｐｈｉｌｌｉｐｓ）ら）には、遠見時および近見時の中心窩でのピンぼけは、眼の過剰成長に対するフィードバック刺激を妨げることが提案されている。この国際公開は、（ａ）遠見時および近見時の両方における明視と、（ｂ）遠見時および近見時の両方における近視性ピンぼけと、を同時に中心網膜にもたらす二焦点コンタクトレンズの使用を提案している。この場合もまた、この提案を用いると、視像が悪化することになる。
【００１１】
米国特許第７，０２５，４６０号（スミス（Ｓｍｉｔｈ）ら）には、正視化のためのフィードバック刺激を支配するのは、中心窩ではなく、周辺網膜の光学状態であることを実証する動物実験の結果が記載されている。したがって、スミス（Ｓｍｉｔｈ）らは、視像の像面湾曲を操作することによって眼の中心の軸上焦点に対して軸外焦点を制御すると、近視および遠視（不十分な眼の長さに起因する近見視力の低下）の進行の抑制、遅延、または制御する方法がもたらされると提案している。
【００１２】
図１および図２は、スミス（Ｓｍｉｔｈ）らが正の像面湾曲を有する眼１をどのように描写しているかを示す。中心の軸上像点２は網膜３の前方（すなわち光の方向とは反対方向）にあるので、この眼は、オートリフラクタ、リフラクタヘッド、トライアルフレームなどの標準的技術を用いてアイケアプラクティショナには馴染みのある方法で測定された場合には、近視と見なされる。この代表的な眼において、視野角が大きい軸外周辺像点４は、網膜３の後方に（すなわち光の方向に）ある。したがって、この例の眼１は、周辺視野については相対的に遠視である。図２は、中心から中間周辺視野５にかけては近視である（焦点が網膜３の前方にある）が、中間周辺から遠周辺視野６にかけては遠視である（焦点が網膜３の後方にある）眼１の相対的な像面湾曲グラフを示している。
【００１３】
図３および図４は、スミス（Ｓｍｉｔｈ）らが説明しているように、近視の進行を制御するための光学装置７が図１および図２の眼１のために如何に処方されるかを示している。この光学装置７は、負の相対像面湾曲８を眼１に生じさせるように設計されている。中心の軸上像９は中心窩１１に鮮明に合焦されるので、良好な視力が得られる。この光学装置７は、周辺像点１３をより前方に、すなわち網膜３の前方に（すなわち眼内の光の方向とは反対の方向に）合焦させるために十分な負の相対像面湾曲８を導入する。
【００１４】
米国特許第７，６６５，８４２号（ホー（Ｈｏ）ら）には、周辺ピンぼけまたは別の収差がレンズによって矯正される視力優先ゾーンを１つ以上設けることが記載されている。このレンズは、この視覚優先ゾーン（単数または複数）の外側の別の領域にある周辺網膜の相対像面湾曲も制御する。
【００１５】
特に近視の進行に関して、示唆されている屈折異常の進行の光学的（焦点不良）メカニズムに対応する方法および光学装置が依然として必要とされている。
【発明の概要】
【課題を解決するための手段】
【００１６】
本発明は、複数のヒトの眼、すなわち少なくとも相当数または有意数のヒトの眼、の網膜の中心および周辺領域における屈折は、視像の自然な像面湾曲を眼の視軸を中心として非対称にするものであるという知見の利用に関する。より詳細には、本発明は、眼のために光の屈折を制御する光学装置を用いて眼の軸外焦点を軸上焦点に対して非対称的に制御することに関する。
【００１７】
したがって、近視を有する患者のための治療方法は、眼の中心窩（換言すると、軸上すなわち網膜中心）および中心窩の外側（換言すると、軸外すなわち周辺網膜）における屈折特性を測定することを含む。次に、この近視患者は、鮮明な、または許容しうる、視覚を軸上にもたらすために、さらには周辺網膜における像の位置を制御するために、例えば像を網膜上または網膜前方に移動させるために、視覚システムの屈折特性を修正することによって治療されうる。周辺網膜に非対称性を有する眼の場合、周辺網膜における像を移動させる装置は、周辺網膜のさまざまな部分で観察される非対称性を治療するために、複数の異なる屈折力を必要とする。遠視を有する患者の場合も、周辺像を網膜上または網膜後方に移動させることによって、その眼に観察された非対称性を治療しうる。
【００１８】
屈折特性を修正する１つの方法は、レンズの使用である。眼用装置の複数の実施形態は、周辺網膜のさまざまな部分で受像される像のために複数の異なる屈折力プロファイルを有するコンタクトレンズ、眼鏡レンズ、角膜インプラント、または他のレンズを含む。コンタクトレンズの種類は、屈折力を有することによって機能するレンズと、角膜を整形することによって眼の屈折特性を変化させるオルソケラトロジーレンズとを含む。
【００１９】
一部の実施形態においては、眼の近視または遠視の進行に影響を及ぼすためのレンズが提供される。このレンズは、周辺網膜によって受容される光を屈折させるための鼻側光学ゾーンと側頭側光学ゾーンとを備える。鼻側光学ゾーンと側頭側光学ゾーンとはそれぞれ異なる屈折力を有する。このレンズは、屈折力を眼の軸上で補正するための、さらには鮮明な、または許容しうる、遠見視力をあらゆる距離においてもたらすための、屈折力を有する中心光学ゾーンをさらに備えうる。
【００２０】
したがって、このレンズは、網膜のさまざまなセクタに向かう光に、中心の軸上焦点に対して回転非対称に、影響を及ぼす複数の領域を備えうる。このレンズは、患者の眼の網膜の何れのセクタで受容される周辺光線にも影響を及ぼしうるので、それぞれの焦点は、近視者の場合は網膜の表面上またはそれより前方になり、遠視者の場合は網膜の表面上またはそれより後方になる。これにより、少なくとも一部の患者においては、眼の異常成長を促す刺激がほぼ全てのセクタにおいて、または網膜のより広い範囲にわたって、除去されうる。この刺激の除去は、特に、眼のこのような成長を抑制するために最も重要と見なされる領域において、行われうる。
【００２１】
一部の実施形態において、周辺網膜によって受像される像に影響を及ぼすための光学装置を処方する方法は、この光学装置の装用者が対称的な像面湾曲を有するか、または非対称的な像面湾曲を有するかを観察することを含む。したがって、処方された光学装置は、この観察に応じて、周辺像を対称的または非対称的に処理しうる。
【図面の簡単な説明】
【００２２】
【図１】（従来技術）正の像面湾曲を有する眼の以前の概略図を示す。
【図２】（従来技術）正の像面湾曲を有する眼の以前の概略図を示す。
【図３】（従来技術）図１および図２に示された眼の像面湾曲を光学装置によって操作する方法を示す。
【図４】（従来技術）図１および図２に示された眼の像面湾曲を光学装置によって操作する方法を示す。
【図５】近視を有する複数の児童の眼のサンプル群についての鼻側周辺網膜と側頭側周辺網膜の非対称性を説明するプロット図を示す。
【図６】鼻側視野と側頭側視野との間に非対称性を有する眼のためのコンタクトレンズの一構造例を示す。
【図７】鼻側視野と側頭側視野との間に非対称性を有する眼のためのコンタクトレンズの別の構造例を示す。
【図８】鼻側視野と側頭側視野との間に非対称性を有する眼のためのコンタクトレンズの別の構造例を示す。
【図９】鼻側視野と側頭側視野との間に非対称性を有する眼のためのコンタクトレンズの別の構造例を示す。
【図１０】レンズを含む光学装置によって眼を治療する方法のフローチャートを示す。
【図１１】眼の軸上および軸外屈折を測定するための計器を示す。
【図１２】眼の軸上および軸外屈折を測定するための計器を示す。
【図１３】眼の軸上および軸外屈折を測定するための計器を示す。
【発明を実施するための形態】
【００２３】
図５は、周辺網膜に近視を有する児童の１１５５の眼の鼻側および側頭側の両四分円を測定した、水平経線における屈折状態のプロット図を示す。水平（独立）軸は、測定が行われた周辺角度を示す。鼻側網膜の測定値は側頭側視野を表し、側頭側網膜の測定値は鼻側視野を表す。垂直（従属）軸は、眼の視軸に沿ったピンぼけ量に対する網膜における光線のピンぼけ量をジオプタ（Ｄ：ｄｉｏｐｔｅｒ）単位で示している。したがって、正の値は相対的な遠視性ピンぼけを示し、負の値は相対的な近視性ピンぼけを示す。ピンぼけの測定は、軸上で、および光軸から側頭側および鼻側の両方に２０度、３０度、および４０度で、行われた。これらの眼は、−２．２７±０．８１Ｄの等価球面度数を軸上に有していた。軸外測定のために頭部回旋を用いる新日本（Ｓｈｉｎ  Ｎｉｐｐｏｎ）オープンフィールドオートレフラクタを使用して全ての測定が行われたので、眼は全ての測定角度において第一眼位にあった。このプロット図は、測定点間を単純に直線補間することによって作成された。
【００２４】
図５は、２０度において、鼻側網膜では、中心網膜に対して０．４３Ｄの遠視性ピンぼけが発生していることを示す。対称的に、側頭側網膜では、中心網膜に対して０．１４Ｄしか遠視性ピンぼけが発生していない。３０度では、中心網膜に対して鼻側網膜で発生する遠視性ピンぼけ量は０．９２Ｄに増加し、側頭側網膜では１．０８Ｄで発生している。４０度では、中心網膜に比べ、鼻側網膜で発生する遠視性ピンぼけは１．６４Ｄに増加している。側頭側網膜では、遠視性ピンぼけが大幅に増加し、中心網膜に対して２．４７Ｄに増加している。
【００２５】
図５は、中心網膜に対して鼻側網膜および側頭側網膜の両方において相対的な遠視性ピンぼけが発生しているが、各測定点におけるピンぼけ量にばらつきがあり、中心の軸上像点の両側で非対称であることを示している。図５は、同じ集合について各測定角度において測定された相対的なピンぼけの標準偏差も示している。このサンプル集合中の一部の眼においては、相対的な近視性ピンぼけが周辺網膜の一方の側にあり、相対的な遠視性ピンぼけがもう一方の側にあるという非対称性が存在した。
【００２６】
この眼の測定値は、図５のプロット図に示されているように、この眼の像面湾曲は中心の軸上像点に対して回転対称であると想定している米国特許第７，０２５，４６０号（スミス（Ｓｍｉｔｈ）ら）に記載されている描写とは大きく異なる。米国特許第７，０２５，４６０（スミス（Ｓｍｉｔｈ）ら）に教示されているような像面湾曲の対称的操作は、図５に示されている特性を有する眼の全ての四分円におけるピンぼけを排除する可能性は低く、周辺網膜の少なくとも一部の場所に存在する遠視性または近視性ピンぼけの矯正不足または過剰矯正をもたらしうる。
【００２７】
したがって、本発明は、治療対象とされる眼の像面湾曲の非対称性を考慮した、この眼を含む視覚システムを作製することによって、この眼によって受容される光の波面を修正することを含む。換言すると、相対的像面湾曲が対称的に矯正された場合は、周辺像は依然として非対称のままであろうが、眼の非対称性が考慮される場合は、この非対称性を低減または排除できる。これにより、中心窩の鼻側および側頭側の両方においてほぼ網膜上への像の位置付けが可能になる。あるいは、近視眼については、周辺像に対する眼の屈折特性の非対称性にも拘らず、図４に示されているほぼ対称的なプロファイルの実現が可能になる。同様に、遠視眼についても、非対称性を考慮することによって、治療後の眼はほぼ対称的な特性を有しうるか、または非対称性が少なくとも低減されうる。
【００２８】
図６乃至図９は、水平方向に非対称的な相対像面湾曲を有する眼の周辺像の相対位置を制御するための４つの異なるコンタクトレンズ１００、２００、３００、４００の全体構造の例を示す。各レンズは左眼用であり、全般的に、鼻側領域の屈折力が側頭側領域の屈折力とは異なっている。右眼用の設計は、構造的には鏡像でもよいが、各光学ゾーンの屈折力プロファイルは右眼の特性に応じて選択されることになる。各レンズは光学ゾーン１０１、２０１、３０１、４０１を有する。これらの各光学ゾーンの直径は、具体的な実装に応じて、約６乃至８ｍｍである。光学ゾーン１０１、２０１、３０１、４０１の外側は、レンズが眼に装用された際にレンズを安定させるための担持部１０２、２０２、３０２、４０２である。担持部は、例えば、レンズ縁端１０６、２０６、３０６、４０６までの総レンズ径が約１２ｍｍになるように、さらに４乃至６ｍｍ延在しうる。他の複数の実施形態は、異なる寸法を有してもよく、場合によっては、レンズが装用される眼に応じて、例えば瞳孔５０のサイズの違いを反映するために、特定寸法のレンズを選択してもよい。図６乃至図９において、担持ゾーンの外周は破線で示されている。
【００２９】
これらのレンズの各々は、適したレンズ安定化技術の利用により、眼に方向付けられる。コンタクトレンズの屈折力は表面全体にわたって一様ではなく、網膜の中心および周辺領域のうちの選択された領域に屈折力が確実に適用されるように生じさせてあるので、レンズの向きを安定化させる必要性が生じる。眼でのレンズの安定化は、プリズムバラスト、ダブルスラブオフ、およびトランケーションのうちから選択されたレンズ安定化機構によって行われうる。
【００３０】
図５にプロットされた代表的な眼の場合、２０乃至４０度の視野角間において、側頭側周辺網膜には０．１４乃至２．４Ｄの相対的遠視性ピンぼけが発生し、鼻側周辺網膜には０．４３乃至１．６４Ｄの相対的遠視性ピンぼけが発生している。図６乃至図９に示されているレンズ構造についての以下の説明は、コンタクトレンズの光学ゾーンの屈折力プロファイルがこのピンぼけを考慮して設計されることを想定している。
【００３１】
図６に示されている例では、レンズ１００は円盤形の中心光学ゾーン１０３を有する。中心光学ゾーン１０３は、約０．５ｍｍから約３ｍｍまでの範囲から選択された直径を有する。中心光学ゾーン１０３は、眼の中心の屈折異常（中心窩で測定）を矯正するために位置付けられ、この中心の屈折異常を矯正するための屈折力を有する。この屈折力の選択により、中心光学ゾーン１０３は（この眼は、ピントが合った近見視力をもたらすための調節が可能であると想定すると）、あらゆる距離において明視を可能にする。このレンズの屈折力プロファイルは、中心光学ゾーン１０３の両側にある鼻側光学ゾーン１０４と側頭側光学ゾーン１０５との間で変化する。これらのゾーンにおける屈折力は、周辺網膜の側頭側および鼻側の四分円でそれぞれ測定されたピンぼけを矯正するために、選択される。
【００３２】
一部の実施形態において、これらのゾーンは、周辺網膜において測定された平均ピンぼけを矯正する単一の屈折力を或る視野角範囲にわたって有しうる。したがって、例えば、これらの実施形態においては、鼻側光学ゾーン１０４は、側頭側周辺網膜で発生する平均１．２３Ｄの相対的遠視性ピンぼけを補正するので、中心光学ゾーン１０３の屈折力に比べ、相対的に１．２３Ｄだけより正となる。同様に、側頭側光学ゾーン１０５は、鼻側周辺網膜に発生する平均０．９９Ｄの相対的遠視性ピンぼけを補正するので、中心光学ゾーンの屈折力に比べ、相対的に０．９９Ｄだけより正となる。
【００３３】
他の複数の実施形態においては、鼻側および側頭側光学ゾーン１０４、１０５は、周辺網膜の２つ以上の位置で測定されたピンぼけに関して選択された複数の屈折力を有する。例えば、鼻側光学ゾーンの屈折力は、２０度、３０度、および４０度において側頭側周辺網膜に発生する相対的ピンぼけを考慮して設定されうるので、これらの角度において必要とされる屈折力間の滑らかな移行を含みうる。より多くの角度位置または２つだけの角度位置において眼の測定を行う場合は、これらの測定値を考慮して鼻側および側頭側光学ゾーン１０４、１０５の屈折力を設定しうる。この変化には、レンズが装用される眼の像面湾曲測定値を反映させうる。例えば、焦点と網膜との間の距離をほぼ一定にする（ゼロの場合もありうる）という目的を有する屈折力プロファイルを鼻側光学ゾーン１０４にわたって有するレンズを選択しうる。同様に、屈折力の変化は、側頭側光学ゾーンにわたって発生しうる。
【００３４】
１つのゾーンに単一の屈折力を設けるか、あるいは１つのゾーンの屈折力を変化させるかの選択肢は、図７乃至図９に示されているレンズ構造にも当てはまる。
【００３５】
図７に示されている例において、レンズ２００は、レンズ２００の垂直経線に沿って延在する中心光学ゾーン２０３を有する。中心光学ゾーン２０３は、この光学ゾーンの中心から周辺まで両方向に一定の屈折力を有する。経線の幅は、約０．５ｍｍ乃至約３ｍｍの範囲内である。レンズ２００の屈折力プロファイルは、中心ゾーン２０３の両側にある鼻側光学ゾーン２０４と側頭側光学ゾーン２０５との間で変化するので、図６に示されている例の説明のように、側頭側および鼻側の周辺網膜でそれぞれ測定されたピンぼけを矯正することになる。
【００３６】
図８に示されている例においては、レンズ３００は、眼の中心の屈折異常を矯正するために選択された屈折力を有する、直径が約０．５ｍｍ乃至３ｍｍの中心光学ゾーン３０３を有する。レンズ３００の水平経線における屈折力プロファイルは、図６に示されている例の説明のように、中心光学ゾーン３０３の両側にある鼻側および側頭側光学ゾーン３０４、３０５間で変化する。鼻側および側頭側光学ゾーン３０４、３０５の高さは、約０．５ｍｍ乃至３ｍｍである。この高さは、中心光学ゾーン３０３の直径に一致するように選択されうるが、他の複数の実施形態においては、これらのゾーンの高さは、中心光学ゾーン３０３の直径より大きくても小さくてもよい。鼻側および側頭側光学ゾーン３０４、３０５はどちらもレンズ３００の中心光学ゾーン３０３から光学ゾーン３０１の縁端まで延在する。中心光学ゾーン３０３は、周辺光学ゾーンの外側の領域３０７、３０８内まで延在する。換言すると、この例では、レンズ３００は、眼の中心の屈折異常を矯正するために選択された屈折力を光学ゾーン３０１内の鼻側および側頭側光学ゾーン３０４、３０５の外側の全ての領域に有する。
【００３７】
図９に示されている例では、レンズ４００は、中心の屈折異常を矯正する、約０．５乃至３ｍｍの間の直径を有する中心光学ゾーン４０３を有する。レンズの水平経線における屈折力プロファイルは、中心光学ゾーン４０３の両側にある鼻側および側頭側光学ゾーン４０４、４０５間で変化する。鼻側光学ゾーン４０４および側頭側光学ゾーン４０５は、図６に示されている例を参照して上で説明したように、周辺網膜の側頭側および鼻側の四分円でそれぞれ測定されたピンぼけを矯正する。鼻側および側頭側光学ゾーン４０４、４０５はどちらも幅が約３．０ｍｍ乃至５．０ｍｍの長楕円形状を有する。これらのゾーンは長楕円形である必要はなく、円形またはほぼ直線形など他の形状にすることもできる。このレンズの残りの部分は、中心光学ゾーンと同じ屈折力プロファイルを有する。
【００３８】
図６乃至図９に示されている各例においては、中心光学ゾーン（および中心光学ゾーンと同じ屈折力プロファイルを有する何れか他の領域）を（鼻側および側頭側光学ゾーンで構成される）周辺光学ゾーンに接続する移行ゾーンが存在しうる。この移行ゾーンは、中心光学ゾーンと鼻側または側頭側光学ゾーンとの間の境界に位置し、その幅は約０．２５ｍｍ乃至約１．０ｍｍの範囲内で可変である。この移行ゾーンは、屈折力プロファイルの差を橋渡しするものであり、一部の実施形態においては、滑らかな曲線状移行部をゾーン間にもたらすように形成される。他の複数の実施形態においては、中心光学ゾーンが終り、周辺光学ゾーンが始まる点がレンズ上に存在しうる。
【００３９】
本願明細書の説明から理解されるように、図６乃至図９に示されている例を含む、ただしこれだけに限定されない、コンタクトレンズの光学ゾーンの形状およびレイアウトは大幅に変化させうるので、多種多様な実施形態を生じさせうる。例として、中心光学ゾーン１０３、２０３、３０３、４０３は、レンズの中心を通るレンズの垂直経線を中心として非対称でもよい。この非対称性は、周辺網膜の片側の像面湾曲の変化率の低さを反映しうる。図５を参照すると、側頭側網膜における０度から２０度までの変化率は低いので、一部の実施形態のレンズは、軸上視力を矯正するために選択された屈折力をこれらの視野角に有しうる。所望される、または許容しうる、像面湾曲を片側に既に有する眼の場合は、側頭側光学ゾーン（または鼻側光学ゾーン）となるはずであったゾーンの全体を包含するように、中心光学ゾーンを延在させうる。ただし、各実施形態は、眼の中心の軸上焦点に対して軸外焦点を非対称的に制御するために選択された、鼻側光学ゾーンおよび側頭側光学ゾーンにおいてそれぞれ異なる屈折力プロファイルを依然として特徴とする。
【００４０】
レンズの屈折力プロファイルは、垂直経線に沿った差が重要と考えられないため、眼の鉛直方向の屈折異常状態を考慮しない場合がある。ただし、他の複数の実施形態においては、水平方向に関して本願明細書で説明したのと同じ方法で、眼の鉛直方向の屈折異常状態も矯正されうる。換言すると、眼の鉛直方向に自然に発生する相対的な像面湾曲も測定されうるので、周辺網膜の下部および上部の像面湾曲をそれぞれ制御するために、レンズは上側および下側の光学ゾーンを含みうる。鉛直方向に非対称性がある場合、この非対称性は、水平方向の非対称性と同じように説明されうる。水平および鉛直の両方向が制御される場合、周辺像は眼の全四分円において制御されることになる。
【００４１】
図６乃至図９に示されている例は、中心光学ゾーン１０３、２０３、３０３、４０３を示している。これらの例では、直径または幅が約０．５乃至３．０ｍｍの中心光学ゾーンが設けられている。中心光学ゾーンのサイズは、レンズ装用者の瞳孔直径を考慮して、あるいは装用者を最も代表する母集団サンプルまたは一般母集団を代表するサンプルの平均瞳孔直径を考慮して、選択されうる。特に、中心光学ゾーンの屈折力プロファイルが瞳孔のエリアにわたって一定、またはほぼ一定、である場合は、通常、中心光学ゾーンが大きいほど、より良好な明視を可能にする。ただし、中心窩に近い周辺ピンぼけの制御が必要な一部の装用者には、より小さな中心光学ゾーンを有するレンズが必要とされうる。この場合、軸上の像品質がある程度犠牲になりうる。
【００４２】
また、中心光学ゾーン１０３、２０３、３０３、４０３は、軸上視力を矯正するために選択された、その直径にわたってほぼ一様な屈折力を有する屈折力プロファイルを全方向に有しうる。中心光学ゾーンを設けると、中心窩が受像する像のピンぼけを最小化するために好都合でありうる。他の複数の実施形態においては、中心光学ゾーンの屈折力プロファイルをある程度変化させうる。例えば、レンズの中心点から外側に鼻側および側頭側光学ゾーンまで屈折力プロファイルを漸次変化させるように、レンズを設計しうる。レンズの中心点における屈折力は、軸上視力を矯正するために、あるいは実質的に明視を軸上にもたらすために、選択されうる。
【００４３】
図６乃至図９に示されているコンタクトレンズは、シリコーンハイドロゲルレンズ、ハードレンズ、強膜レンズ、またはハイブリッドレンズでもよい。眼鏡レンズおよび角膜インプラントにも同様のレンズ設計を行いうる。これら両タイプのレンズの場合、担持部は不要である。眼鏡レンズに適した構造は、中心光学ゾーンの幅が約８乃至２０ｍｍである点以外は、図９に示されている構造でよい。眼鏡レンズの一部の実施形態は、レンズ上に線が見えないように、および装用者の眼が正面に向いていないときに装用者の視覚の鮮明さをなるべく阻害しないように、中心光学ゾーンと周辺光学ゾーンとの間に大きな移行ゾーンを有しうる。角膜インプラントは、上記の屈折特性をもたらす角膜表面プロファイルを生じさせるように、形成される。オルソケラトロジーレンズは、周辺網膜に必要とされる相対的像面湾曲を実現するために、角膜を同様に整形しうる。
【００４４】
個々の装用者のために選択が行われるように多数のレンズを用意してもよい。例えば、中心光学ゾーンの屈折力ごとに、非対称周辺光学ゾーンの選択肢が複数あってもよい。この選択は、母集団の基準、および、例えば図５に示されているような母集団の偏差値、を参照して行われうる。装用者の種別間に有意なばらつきが存在する場合は、さまざまな母集団基準を種別ごとに作成してもよい。中心光学ゾーンの屈折力ごとの選択肢の数は可変である。一例として、次の２つの選択肢がありうる。すなわち、両側が（基準値に比較して相対的により近視性のピンぼけを周辺網膜の片側に有する眼は、周辺網膜のもう一方の側が基準値に比較してより近視性またはより遠視性でありうることを考慮した）標準偏差値である４人から成る母集団の平均のための選択肢と、標準偏差値が１．５である別の４人から成る母集団のための選択肢である。標準偏差値０．２５、標準偏差値０．５、標準偏差値０．７５、および標準偏差値２．０のうちの１つ以上に対して追加のレンズを利用しうる。この集合においては、一部のレンズは、対称的またはほぼ対称的であってもよく、該当する装用者のために選択されうることを理解されるであろう。中心光学ゾーンの屈折力プロファイルおよび／または構造（例えば、図６乃至図９に示されている構造の２つ以上）についての選択肢も存在しうる。
【００４５】
図１０は、眼の屈折異常を矯正するための、さらには屈折異常の経時的変化を制御することも目的とした、レンズを処方する一連のステップから成るフロー図を示す。ステップ１０００で、患者は屈折異常があると識別される。この識別ステップは、例えば過去６か月間または１乃至３年間、またはこれより長期間、にわたる患者の軸上屈折異常の履歴の単純な検査により行われうる。あるいは、識別ステップ１０００の代わりに、屈折異常を有する患者の識別を、異常またはその進行の履歴を一切参照せずに、行ってもよい。
【００４６】
ステップ１００１で、軸上屈折異常が測定される。この測定値は、必要な軸上矯正を特定するために用いられる。例えば、患者は、−３Ｄの屈折異常を有すると測定されうる。この場合、この異常を矯正するための屈折力を設けるために、レンズの中心光学ゾーン、例えば図６乃至図９に示されている中心光学ゾーン１０３、２０３、３０３、４０３、が選択される。
【００４７】
ステップ１００２で、軸外屈折異常が測定される。鼻側および側頭側で軸外視野角が測定される。上記のように、鉛直角についての湾曲像面の変動は無視してもよいが、必要であれば測定してレンズ設計に組み込んでもよい。ステップ１００２は、鼻側および側頭側方向の単一角度、例えば軸上方向に対して３０度、において測定することを含みうる。あるいは、ステップ１００２は、鼻側および側頭側方向の複数の角度において測定することを含みうる。例えば、１５度および３０度での２つの測定、１５度、３０度、および３５度での３つの測定、あるいは５度、１０度、１５度、２０度、２５度、および３０度での６つの測定を行いうる。角度は、５の倍数である必要はなく、これらの角度は説明のために記述されているに過ぎない。単一角度において複数回測定してもよい。これらの測定値を、例えば平均化によって、または別様に、組み合わせてもよく、あるいは、例えば測定が行われた際の眼の位置を基準として評価にかけ、最も正確であると期待される測定値を選択してもよい。
【００４８】
使用される計器に応じて、ステップ１００２は、眼の光軸に対して必要な各角度における眼の屈折特性を測定する個別のステップを含みうる。例えば、これが必要とされうるのは、患者を物理的に移動させる必要がある場合、または患者に自身の視線の移動を要請する必要がある場合、あるいは測定のために患者の眼に対して計器を物理的に移動させる必要がある場合である。
【００４９】
ステップ１００３では、これらの測定値を水平経線にわたって異なる屈折力を有する利用可能なレンズと比較して最適一致のレンズを選択するか、あるいはこの眼のために必要な屈折力プロファイルを有するレンズを製造するための新しいレンズ設計を作成する。この屈折力プロファイルは、ステップ１０００で中心光学ゾーンにおいて測定された軸上屈折異常を矯正すると共に、眼の鼻側および側頭側周辺領域における屈折特性に関して選択された屈折力を有する。
【００５０】
例えば、この屈折力プロファイルは、周辺視された物体の像を鼻側および側頭側の両方向の網膜上に位置付けるために、または少なくともステップ１００２で測定された角度で網膜上に位置付けるために、選択されうる。あるいは、屈折力プロファイルに対する制約がレンズ全体にわたって存在する場合は、周辺視された物体の像をこれらの制約内でできる限り網膜の近くに位置付けるように、屈折力プロファイルが選択されうる。これらの制約として、最大変化率に対する制約、または乱視などの他の状態を矯正するための要件に起因する制約、が挙げられる。
【００５１】
あるいは、周辺視された物体の像を網膜に対して別の位置、すなわち効果をもたらす可能性があると見なされる位置、に位置付けるために屈折力プロファイルが選択されうる。例えば、近視眼の場合は、周辺物体の像を網膜の前方に位置付けるために、屈折力プロファイルが選択されうる。遠視眼の場合、この屈折力プロファイルは、周辺物体の像を網膜の後方に位置付けうる。周辺物体の像を位置付けるための対物レンズは対称的である必要はなく、例えば近視眼用レンズは側頭側の周辺像を網膜上に位置付け、鼻側の周辺像を網膜の前方に位置付けてもよい。
【００５２】
眼の屈折状態は、軸上および周辺物体の両方について、網膜検視法を用いて測定される。この測定には、マニュアルレフラクタまたはオートレフラクタのどちらかを使用しうる。次に、軸上および周辺の両屈折の測定用に特に設計された計器の一例を説明する。
【００５３】
図１１および図１２は、周辺屈折を測定し、偏心量を求め、補正係数を適用して補正後の周辺屈折測定値を得るために適した計器１０を示す。本発明は、ソフトウェアとしてコントローラ４９（図１２を参照）に実装されうる。本装置は、計器１０の可能な変形例および本発明を実現するために適合可能な代替装置と共に、参照によりその内容全体を本願明細書に援用するものとする国際公開第２００８／１１６２７０Ａ１号として公開された国際出願ＰＣＴ／ＡＵ２００８／０００４３４号に記載されている。計器１０は、図２に関して説明した一般的な「計器回転」法を使用する。本発明を実現しうる他の計器は、「眼球回旋」法または「頭部回旋」法を使用しうる。
【００５４】
図１１は、計器１０の基本レイアウトを示す。この例の計器においては、複数のデフレクタ素子１４から成るアレイ１２は、調査中の眼関連の光学システム１８の光軸１６の両側に対称的かつ横方向に延在する線形の列である。システム１８は、補綴レンズまたは他の修正の追加の有無に拘らず、患者の眼であると想定する。照明用光源と、制御用プロセッサと、戻りビーム検出器とが、個々に区別されずに、図３を参照してより詳細に説明されている軸１６上に配置された単一ユニット２０によって示されている。ユニット２０は、矢印２２によって示された複数の照明ビームをアレイの素子１４に向かわせる。これにより、軸１６に対してさまざまな周辺角で眼システム１８に向かう、矢印２４によって示された、対応する一連の問い合わせビームが生成される。各問い合わせビーム２４によって、矢印２３によって示されている戻りビームが生成され、対応する素子１４を介してユニット２０に戻されて検出される。照明ビーム２２を１つの素子１４から次の素子１４へと順次向かわせると、問い合わせビーム２４と戻りビーム２３とが順次生成されて都合が良い。
【００５５】
この例では、中心の照明ビーム、対応する中心の問い合わせビーム、および対応する中心の戻りビームは、矢印２５、２７、および２９でそれぞれ示されている。また、この例では、各問い合わせビーム２４が眼１８に入射し、各戻りビーム２３がユニット２０に向かうように、（中心素子１４ｃ以外の）各デフレクタ素子は、頂角を有するプリズムである。中心素子１４ｃは、事実上、照明ビームを偏向させないヌル素子であり、図示のように両側面が平行な素通しガラスでもよいが、設けなくてもよい。また、この例では、アレイ１２はほぼ線形であるので、問い合わせビーム２４および２７はほぼ同一平面上にあるため、システム１８の１つの経線、この例では水平経線、の調査が可能である。システムの非水平経線の調査は、眼１８に対して光軸１６を中心に計器１０を回転させるだけで行える。
【００５６】
問い合わせビーム２４および２７を一度に１つずつ眼１８に入射させること、および対応する一連の戻りビーム２３および２９を生成することは、さまざまな方法で実現可能である。第１に（以下に説明するように）、ユニット２０は、単一の狭い照明ビームを１つの素子１４から別の素子に向かわせるビームスキャナを備えうる。第２に、複数の素子１４を一度に照明し、問い合わせビーム２４および２７をゲート制御することによって、眼１８の走査と一連の戻りビーム２３および２５の生成とを行うことができる。これを行うには、例えば、電子制御可能なＬＣＤシャッタ２６をアレイ１２と眼１８の間に挿入し、各プリズム１４からの問い合わせビーム２４を一度に１つずつ眼１８に入射させるための走査手段としてＬＣＤシャッタ２６を使用する。第３に、照明ビーム２２および２５をゲート制御することによって１つ以上の素子１４を同時に照明するために、同様のシャッタ２８をアレイ１２とユニット２０の間に挿入しうる。これにより、ユニット２０は走査手段を備える必要がなくなり、走査機能をユニット２０内のスキャナ手段と、参照符号２６および／または２８で示されているようなシャッタとに分散させることが可能になる。
【００５７】
この方法により、連続する問い合わせ／戻りビーム対は、眼１８に入射するとき、および眼１８から出射するとき、軸１６に対してより小さな／大きな角度で集束／散開する。１つの角度から次の隣接角度への順次走査がおそらく最も好都合であるが、固定された順次走査によって起こりうる偏りを最小化するために他の多くの走査シーケンスを使用しうる。複数のビームデフレクタ素子１４の同時照明は、ユニット２０内のスキャナの使用により容易に実現可能であるが、この場合は、生じた複数の同時戻りビームの識別が必要になる。この識別は、シャッタ２６または２８をビームチョッパまたは選択偏光子として使用し、検出器において互いに識別する必要がある各戻りビームを差分符号化することによって実現可能である。
【００５８】
図１２は、ユニット２０の主構成要素を個別に示した、図１１の計器１０のより詳細な側面立面図である。光源３０は、平行なソースビーム３２をビームスプリッタ３４を通して揺動ミラースキャナ３６に向かわせる。このミラースキャナ３６がアクチュエータ３７によって動かされることによって、複数の照明ビーム２２が生成される。これらの照明ビーム２２がアレイ１２内のデフレクタからデフレクタへと走査されることによって、一連の問い合わせビーム２４が生成され、所望の入射角範囲にわたって眼システム１８内の網膜３８に入射する。したがって、走査ミラー３６は、複数のビーム２４のための１つの点光源すなわち共通点と、全ての戻りビームのための共通点（Ｘで示されている）とを形成する。したがって、網膜３８から戻ってきた各戻りビーム２３は、デフレクタアレイ１２とスキャナミラー３６とを介してビームスプリッタ３４に戻り、ここで進路変更され、集束系４２を経由して光検出器４４に向かう。集束系４２は、矢印４６で示されているように、集束範囲内で軸方向に前後に移動可能な可動レンズ組立体４３を備えている。ソースビーム３２（ひいては、照明、問い合わせ、および戻りビーム２２、２４、および２３）は所望される任意のスポット状、円盤状、または環状の横断面を有することができるが、公知のオートレフラクタ（上記の新日本（Ｓｈｉｎ−Ｎｉｐｐｏｎ）ＳＲＷ−５０００など）に一般に使用されるような環状の横断面が好ましい。その理由は、ほぼ標準的な方法で分析および処理が可能であることによる。
【００５９】
各戻りビーム２３、より正確には検出器４４におけるその像４８、は、光検出器４４によって捕捉または定量化された眼システムの屈折状態の（偏心のための補正がされていない）情報を含んでいる。光検出器４４は、複数の光センサから成る二次元アレイであることが好ましい。光検出器４４は、照明ビーム２２の偏心を求めるために、図７に示されている像に対応する瞳孔の像も捕捉する。瞳孔の像の捕捉は各屈折測定時に行われるので、照明ビーム２２ごとに１つの像が存在する。これにより、屈折測定値を各入射角ごとに個々に補正可能になるため、測定間の眼システム１８および測定軸の相対移動に対応できる。
【００６０】
ユニット２０は、中央プロセッサ兼コントローラ４９を含む。中央プロセッサ兼コントローラ４９は、好都合には、専用ＰＣを備えてもよく、検出器４４の出力を受け付けて分析するために検出器４４に接続され、レンズ組立体４３をサーボ制御下で駆動するためにレンズ組立体４３に接続される。プロセッサ４９は、スキャナドライバ３７を制御し、照明および戻り信号検出の正確なタイミングを保証するために、スキャナドライバ３７にも接続される。光源３０とプロセッサ４９との間の接続も図示されている。この接続は、ソースビーム３２が正しく構成されること、および像４８との比較のためにソースビームの現在の断面パターンの表現が格納されることとを保証するために好都合である。
【００６１】
各戻りビーム２３の受光中、像４８の焦点サイズおよび形状を変化させるために、集束用レンズ組立体４３を光軸方向に移動させる。一般に、３つの戻りビームの像形状の各々について集束用レンズ組立体４３の３つの位置が記録される。すなわち、像（スポットまたはリング）が最小で最も鮮明に合焦されて現れる第１の位置と、この像が１つの経線において最も細長く現れる第２の位置と、この像が、異なる経線、通常は第１の経線に直交する経線、において最も細長く現れる第３の位置とが記録される。レンズ組立体４３のこの３つの位置は、眼の等値球面度数、屈折のサジタル非点収差成分および正接非点収差成分をそれぞれ示す。眼１８の等値球面度数に関するスポット／像サイズの重要性は、以下の初歩的な方法で理解可能である。眼１８に入る問い合わせビーム２４は平行であるため、正常眼すなわち正視眼は平行なコリメートビームを返し、近視眼は収束ビームを返し、遠視眼は開散ビームを返す。収束ビームと開散ビームとは像のサイズを大きくする。
【００６２】
中央プロセッサ兼コントローラ４９は、補正アルゴリズムを関数として、またはルックアップテーブルとして、メモリに記憶する。中央プロセッサ兼コントローラ４９は、偏心を受け付ける、および／または自動的に判定する、ための命令と、測定された屈折値に補正アルゴリズムを適用して補正後の屈折値を計算するための命令とをさらに含む。その後、補正後の屈折値を記憶または表示することも、あるいは別の装置に伝えることも可能である。
【００６３】
図１３は、図１１および図１２の計器１０の性能を向上させるために追加されうるいくつかの特徴を示す。第１の追加ビームスプリッタ５４によって戻りビーム路２３内の光軸１６上に光学的に結合される注視ビーム路５２に可動固視標的５０が配置されている。固視標的５０は、視線すなわち眼の軸をシステムの光軸１６に位置合わせし、遠近調節を制御する。ＣＣＤ検出器５８は第１の追加ビームスプリッタ５４および注視路５２内の第２の追加ビームスプリッタ５６を介して眼の像を受像するので、第２の追加ビームスプリッタ５６が眼１８の像をＣＣＤ検出器５８に向かわせることによって、注視方向と眼のアライメントとの監視が可能になる。光学式または音響距離センサ６０は、眼１８が軸方向に位置合わせされたと思われるときを（交互に、またはさらに）示すために使用可能である。測定サイクルの開始を自動化できるように、センサ６０を、所望であれば検出器５８と共に、矢印Ｐで示されているようにプロセッサ４９（図１２）に接続可能である。
【００６４】
本願明細書に開示および定義されている発明は、本テキストまたは図面に記載されている、または本テキストまたは図面から明らかな、個々の特徴を２つ以上組み合わせた代替の全ての組み合わせに及ぶことを理解されるであろう。これらのさまざまな組み合わせの全てが本発明のさまざまな代替の態様を構成する。
【図１】
2013533044.tif 000003
【図２】
2013533044.tif 000004
【図３】
2013533044.tif 000005
【図４】
2013533044.tif 000006
【図５】
2013533044.tif 000007
【図６】
2013533044.tif 000008
【図７】
2013533044.tif 000009
【図８】
2013533044.tif 000010
【図９】
2013533044.tif 000011
【図１０】
2013533044.tif 000012
【図１１】
2013533044.tif 000013
【図１２】
2013533044.tif 000014
【図１３】
2013533044.tif 000015
【国際調査報告】
2013533044.tif 000016
2013533044.tif 000017
2013533044.tif 000018
2013533044.tif 000019
2013533044.tif 000020